(57)【要約】透かし生成機能が映像デコーダと合成され、知覚的に適応的な透かし信号を生成するのに圧縮領域情報を利用する、透かし信号を復号化映像画像を挿入する方法及び装置。
2005536950.tif 000002
【特許請求の範囲】
【請求項１】
圧縮領域情報の少なくとも一部が生成される圧縮符号化デジタル映像信号を復号化する映像信号デコーダと、
前記圧縮領域情報の少なくとも一部から導出される強度を有する透かし信号を生成する透かし挿入装置と、
から構成されることを特徴とするデジタル映像信号デコーダシステム。
【請求項２】
請求項１記載のデジタル映像信号デコーダシステムであって、
前記映像信号デコーダは、
圧縮符号化デジタル映像信号を受け取り、該信号の復号化ビットストリームを提供するエントロピーデコーダと、
前記エントロピーデコーダからの前記復号化データを逆量子化コードに逆量子化する逆量子化装置と、
前記逆量子化コードを画素情報に変換する逆ブロック変換デコーダと、
前記ブロック変換デコーダから前記画素情報を受け取り、動き補償予測画像データストリームを提供する動き補償装置と、
前記動き補償予測画像データストリームと前記画素情報を加算して、解凍復号化映像出力信号とする加算器と、
から構成されることを特徴とするシステム。
【請求項３】
請求項１記載のデジタル信号デコーダシステムであって、
前記透かし挿入装置は、
透かし信号を生成する透かし信号生成装置と、
予め生成された複数の透かし信号の１つを該システムの解凍復号化映像出力に加算する加算器と、
から構成されることを特徴とするシステム。
【請求項４】
請求項１記載のデジタル信号デコーダシステムであって、
前記透かし挿入装置は、
透かし信号を生成する透かし信号生成装置と、
予め生成された複数の透かし信号を格納する記憶ユニットと、
前記予め生成された複数の透かし信号の１つを該システムの解凍復号化映像出力に加算する加算器と、
から構成されることを特徴とするシステム。
【請求項５】
請求項２記載のデジタル信号デコーダシステムであって、
前記圧縮領域情報の少なくとも一部は、前記エントロピーデコーダにより提供されることを特徴とするシステム。
【請求項６】
請求項５記載のデジタル信号デコーダシステムであって、
前記圧縮領域情報の少なくとも一部は、前記復号化ビットストリームのデータブロックにおける符号化変換係数の個数のカウントであることを特徴とするシステム。
【請求項７】
請求項２記載のデジタル信号デコーダシステムであって、
前記圧縮領域情報の少なくとも一部は、前記逆量子化装置により提供されることを特徴とするシステム。
【請求項８】
請求項７記載のデジタル信号デコーダシステムであって、
前記圧縮領域情報の少なくとも一部は、前記逆量子化コードにおける非ＤＣ変換係数の値であることを特徴とするシステム。
【請求項９】
請求項２記載のデジタル信号デコーダシステムであって、
前記圧縮領域情報の少なくとも一部は、前記加算器の出力により提供されることを特徴とするシステム。
【請求項１０】
請求項９記載のデジタル信号デコーダシステムであって、
前記圧縮領域情報の少なくとも一部は、前記画素情報におけるデータブロックの絶対輝度ＤＣ値であることを特徴とするシステム。
【請求項１１】
請求項２記載のデジタル信号デコーダシステムであって、
前記透かし信号は、一意的識別子情報を有することを特徴とするシステム。
【請求項１２】
請求項１１記載のデジタル信号デコーダシステムであって、
前記一意的識別子情報は、前記デジタル映像信号のコンテンツに関連する著作権ライセンスに関する情報を有することを特徴とするシステム。
【請求項１３】
請求項１１記載のデジタル信号デコーダシステムであって、
前記一意的識別子情報は、該映像デコーダシステムを特定する装置固有表示を有することを特徴とするシステム。
【請求項１４】
請求項１記載のデジタル信号デコーダシステムであって、
前記圧縮符号化デジタル映像信号は、ＭＰＥＧ−１、ＭＰＥＧ−２、ＭＰＥＧ−４、ＪＶＴ、Ｈ．２６４、ＭＰＥＧ  ＡＶＣまたはＨ．２６３からなるグループからの映像圧縮規格を利用して圧縮されることを特徴とするシステム。
【請求項１５】
圧縮領域情報の少なくとも一部が生成される圧縮符号化デジタル映像信号を解凍復号化映像出力に復号化するステップと、
前記圧縮領域情報の少なくとも一部から導出される強度を有する透かし信号を生成するステップと、
前記透かし信号を前記解凍復号化映像出力に付加するステップと、
から構成されることを特徴とするデジタル映像信号の透かし処理方法。
【請求項１６】
請求項１５記載の透かし処理方法であって、
前記透かし信号を生成するステップは、
透かし信号生成装置において前記圧縮領域情報の少なくとも一部を受け取るステップと、
前記圧縮領域情報の少なくとも一部の選択された属性に基づき生成される前記透かし信号の強度を決定するステップと、
から構成されることを特徴とする方法。
【請求項１７】
請求項１５記載の透かし処理方法であって、
前記圧縮符号化デジタル映像信号は、エントロピーでコーダにおいて前記圧縮符号化デジタル映像信号を受け取り、該信号の復号化ビットストリームを提供し、
前記圧縮領域情報の少なくとも一部は、前記復号化ビットストリームのデータブロックにおける符号化変換係数の個数のカウントである、
ことを特徴とする方法。
【請求項１８】
請求項１５記載の透かし処理方法であって、
前記圧縮符号化デジタル映像信号は、エントロピーでコーダにおいて前記圧縮符号化デジタル映像信号を受け取り、該信号の復号化ビットストリームを提供し、
前記圧縮領域情報の少なくとも一部は、前記復号化ビットストリームのデータブロックにおける符号化変換係数の知覚的スラックである、
ことを特徴とする方法。
【請求項１９】
請求項１５記載の透かし処理方法であって、
前記圧縮符号化デジタル映像信号を復号化するステップは、
エントロピーデコーダにおいて前記圧縮符号化デジタル映像信号を受け取り、該信号の復号化ビットストリームを提供し、
前記復号化ビットストリームを逆量子化コードに逆量子化し、
前記圧縮領域情報の少なくとも一部は、前記逆量子化コードにおける非ＤＣ変換係数の値である、
ことを特徴とする方法。
【請求項２０】
請求項１５記載の透かし処理方法であって、
前記圧縮符号化デジタル映像信号を復号化するステップは、
エントロピーデコーダにおいて前記圧縮符号化デジタル映像信号を受け取り、該信号の復号化ビットストリームを提供し、
前記復号化ビットストリームを逆量子化コードに逆量子化し、
前記逆量子化コードを画素情報に変換する、
ことから構成され、
前記圧縮領域情報の少なくとも一部は、前記画素情報におけるデータブロックの絶対輝度ＤＣ値である、
ことを特徴とする方法。
【請求項２１】
請求項２０記載の透かし処理方法であって、
前記圧縮領域情報の少なくとも一部は、データブロックと該データブロックと隣接するデータブロックとの間の輝度ＤＣ値の差であることを特徴とする方法。
【請求項２２】
請求項１５記載の透かし処理方法であって、
前記圧縮符号化デジタル映像信号を復号化するステップは、
エントロピーデコーダにおいて前記圧縮符号化デジタル映像信号を受け取り、該信号の復号化ビットストリームを提供し、
前記復号化ビットストリームを逆量子化コードに逆量子化し、
前記逆量子化コードを画素情報に変換する、
ことから構成され、
前記圧縮領域情報の少なくとも一部は、前記画素情報におけるデータブロックの絶対輝度ＤＣ値である、
ことを特徴とする方法。
【請求項２３】
請求項１５記載の透かし処理方法であって、
前記透かし信号は、一意的識別子情報を有することを特徴とする方法。
【請求項２４】
請求項２３記載の透かし処理方法であって、
前記一意的識別子情報は、前記デジタル映像信号のコンテンツに関連する著作権ライセンスに関する情報を有することを特徴とする方法。
【請求項２５】
請求項２３記載の透かし処理方法であって、
前記一意的識別子情報は、該映像デコーダシステムを特定する装置固有表示を有することを特徴とする方法。
【請求項２６】
請求項１５記載の透かし処理方法であって、
前記圧縮デジタル映像信号は、デブロッキングフィルタリングを適用した圧縮処理を利用して圧縮され、
前記圧縮領域情報の少なくとも一部は、あるブロック遷移に対するデブロッキングフィルタリング強度である、
ことを特徴とする方法。
【請求項２７】
各々が異なる強度を有する複数の透かし信号を生成するステップと、
前記複数の透かし信号を記憶ユニットに格納するステップと、
圧縮領域情報の少なくとも一部が生成される圧縮符号化デジタル映像信号を解凍復号化映像出力に復号化するステップと、
前記圧縮領域情報の少なくとも一部に基づき、前記記憶ユニットに格納されている前記複数の透かし信号から透かし信号を選択するステップと、
前記選択された透かし信号を前記解凍復号化映像出力に付加するステップと、
から構成されることを特徴とするデジタル映像信号の透かし処理方法。
【請求項２８】
請求項２７記載の透かし処理方法であって、
前記透かし信号は、一意的識別子情報を有することを特徴とする方法。
【請求項２９】
請求項２８記載の透かし処理方法であって、
前記一意的識別子情報は、前記デジタル映像信号のコンテンツに関連する著作権ライセンスに関する情報を有することを特徴とする方法。
【請求項３０】
請求項２８記載の透かし処理方法であって、
前記一意的識別子情報は、該映像デコーダシステムを特定する装置固有表示を有することを特徴とする方法。
【発明の詳細な説明】
【発明の詳細な説明】
【０００１】
本出願は、２００２年８月２１日に出願された米国仮出願第６０／４０４／８８４号の効果を主張する。
［発明の技術分野］
本発明は、デジタルメディアコンテンツ保護に関し、より詳細には、復号化処理中における知覚的に適応的な透かし信号によるデジタル映像データの透かし処理方法に関する。
［発明の背景］
デジタルメディアデータコンテンツ保護は、コンテンツ提供者が直面する極めて重要な問題である。現在のコンテンツ保護方法は、権限を有するユーザのみが暗号化されたデジタルメディアデータコンテンツを復号化するための鍵を有するという仮定の下、デジタルメディアデータコンテンツを保護するため暗号化に依存している。しかしながら、これは、ユーザが暗号化及び圧縮されていない信号をユーザの装置から取得し、違法な配布による理由のため、これを再暗号化することを防ぐものではない。デジタルメディアデータコンテンツが侵害される場合、コンテンツ所有者がこれに関与した者を特定することができることが所望する。
【０００２】
デジタルメディア産業で利用される著作権保護方法の１つとして、暗号化されたデジタルメディア信号（例えば、映像及び／または音声信号など）の透かし処理がある。透かしとは、典型的には、著作権所有者の身元を示すデジタルメディア信号のビットストリームに埋め込まれたデジタルコードである。配信前に暗号化されたデジタルメディアデータコンテンツを透かし処理することは、コンテンツ所有者が自らのコンテンツを特定することを可能にするが、デジタルメディアデータコンテンツの侵害に利用された映像デコーダに関する情報を提供するものではない。
【０００３】
消費者の映像デコーダシステムにおける透かしの付与は、侵害に利用された消費者の映像デコーダの特定を可能にするが、このようなシステムは、特に知覚的に適応的な透かし信号を付与するとき、大きな計算量を要する。従って、知覚的に適応的な透かし信号を付与する透かし処理機能を有する向上した映像デコーダシステムが所望される。
［発明の概要］
本発明の一特徴によると、映像でコーダシステムにおけるデジタルメディアデータの透かし処理方法が開示され、透かし生成機能が映像デコーダと合成され、解凍及び復号化後、デジタルメディアデータを透かし処理するため、知覚的に適応的な透かし信号を生成するために、メディアデータコンテンツの圧縮領域（すなわち、圧縮ビットストリーム）データが利用される。
【０００４】
本発明の一特徴によるデジタル映像信号デコーダシステムは、圧縮符号化デジタル映像信号を受け取り、該符号化信号を復号化ビットスリームに可変長復号化するエントロピーデコーダと、前記復号化ビットストリームを逆量子化する逆量子化装置と、前記逆量子化復号化デジタル映像信号を画素情報に変換する逆ブロック変換デコーダと、前記逆ブロック変換デコーダから前記画素情報を受け取り、動き補償データストリームを提供する動き補償装置と、前記画素情報と前記動き補償データストリームを加算する加算器からなる標準的なデジタル映像復号化コンポーネントを有する。本発明の一特徴による映像デコーダシステムはまた、圧縮領域情報の少なくとも一部を受け取り、該映像デコーダシステムの解凍復号化映像信号出力に埋め込まれた知覚的な適応的透かし信号を生成する透かし挿入装置を有する。前記知覚的な適応的透かし信号の強度は、前記圧縮領域情報の少なくとも一部から導出される。前記圧縮領域情報の少なくとも一部は、前記エントロピーデコーダ、前記逆量子化装置及び前記加算器から抽出されてもよい。
【０００５】
透かし生成機能は、デジタルセットトップボックスまたはＤＶＤプレーヤーにおけるものなどの映像デコーダシステムに追加されてもよい。透かし生成機能は、ＭＰＥＧ−１／２／４、ＪＶＴ／Ｈ．２６４／ＭＰＥＧ  ＡＶＣまたはＨ．２６３などの変換符号化を用いた映像圧縮規格を利用する任意の映像復号化システムと合成されてもよい。
【０００６】
本発明は、添付された図面と共に、本発明の実施例の以下の詳細な説明からより良く理解されるであろう。
［発明の詳細な説明］
本発明との比較のため、図１に示される標準的な映像復号化システムが説明される。圧縮された暗号化入力信号２１が、映像復号化システム１００により受信され、暗号化入力信号２１を復号化ビットストリーム２２に復号化するエントロピーデコーダ１０２（例えば、ハフマンデコーダなど）にわたされる。その後、復号化ビットストリーム２２は、逆量子化装置１０４により逆量子化コード２４に逆量子化される。逆ブロック変換デコーダ１０６は、例えば、８×８画素単位による固定または可変サイズブロックによる周波数領域から空間領域への逆量子化コード２４を画素情報２６に変換する。あるアプリケーションでは、符号化入力データ２１は、解読ユニット１３０によりまず解読されるようにしてもよい。
【０００７】
当該システムはまた、基準画像格納部１１０から基準画像（Ｉ画像またはＢ画像）を受け取り、加算器１０８へ返すため、動き補償予測画像３６を生成する。逆ブロック変換デコーダ１０６からの画素情報２６が、必要に応じて、加算器１０８により動き補償装置１１２からの予測画像３６に付加される。加算器１０８の出力は、復号化画像の画素である。その後、加算器１０８からの出力信号４０は、記憶ユニット（図示せず）または表示ユニット（図示せず）に格納されるようにしてもよい。
【０００８】
図２において、本発明の一実施例による映像復号化システム２００が示される。映像復号化システム２００は、エントロピーデコーダ２０２、逆量子化装置２０４、逆ブロック変換デコーダ２０６、基準画像格納部２１０、動き補償装置２１２及び加算器２０８からなる標準的な復号化機能ユニットを有する。圧縮された符号化入力信号２５１は、映像復号化システム２００により受け取られ、符号化入力信号２５１の復号化ビットストリーム２５２への可変長復号化のため、エントロピーデコーダ２０２にわたされる。その後、復号化ビットストリーム２５２は、逆量子化装置２０４により逆量子化コード２５４に逆量子化される。逆ブロック変換デコーダ２０６は、例えば、８×８画素単位による固定または可変サイズブロックによる周波数領域から空間領域への逆量子化コード２５４を画素情報２５６に変換する。あるアプリケーションでは、符号化入力データ２５１は、解読ユニット２３０によりまず解読されるようにしてもよい。動き補償装置２１２は、基準画像格納部２１０から基準画像（すなわち、ＭＰＥＧ−１またはＭＰＥＧ−２のためのＰ画像またはＩ画像）を受け取り、加算器２０８に返すため、動き補償予測画像２３６を生成する。逆ブロック変換デコーダ２０６からの画素情報２５６は、必要に応じて、加算器２０８により動き補償装置２１２からの動き補償予測画像２３６に付加される。加算器２０８の出力は、復号化画像の画素である。その後、加算器２０８からの出力信号は、記憶ユニット（図示せず）または、表示ユニット（図示せず）またはビデオレコーダ（図示せず）などの次の宛先に格納されるようにしてもよい。
【０００９】
上記標準的な復号化ユニットに加えて、本発明の映像復号化システム２００は、透かし信号生成装置３００、透かし信号格納ユニット３１０（例えば、ＲＡＭ装置などの記憶ユニットなど）及び透かし加算器３１２を有する透かし信号挿入装置を有する。透かし信号生成装置３００は、透かし加算器３１２により映像出力信号への挿入のため、一意的識別子情報を透かし信号３６０に変換する。一意的識別子情報３５８は、典型的には、著作権所有権、著作権ライセンスの範囲、著作権取得者などに関する、透かし映像出力信号２５９のコンテンツの特定に役立つ情報である。一意的識別子除法３５８はまた、映像デコーダシステム２００に割り当てられた一意的識別情報またはシリアル番号などの特定の映像デコーダシステム２００を特定する装置に特有の表示を有するようにしてもよい。
【００１０】
透かし信号生成装置３００は、復号化ユニット、エントロピーデコーダ２０２、逆量子化装置２０４及び加算器２０８にリンク付けされ、上記リンク付けされた復号化ユニットの何れかまたはすべてから圧縮領域情報を受け取ることができる。透かし信号生成装置３００は、圧縮領域情報を利用して、生成する透かし信号の強度を最適化することにより、映像デコーダシステム２００により復号化される映像信号を参照して、知覚的に適応的なものにする。
【００１１】
例えば、エントロピーデコーダ２０２から抽出される圧縮領域情報は、ビットストリームのデータブロックに対する符号化（非零）変換係数の個数のカウントであってもよい。透かし信号生成装置３００は、この情報を利用して、空間領域における解凍された符号化出力信号２５８に挿入される透かし信号３６０の強度を最適化する。より高い符号化係数値は、より高い強度の透かし信号３６０が解凍された復号化出力信号２５８における対応するブロックに挿入されることを示すブロックに対するより高いアクティビティレベルを示す。透かし信号の強度は、当該ブロックのアクティビティレベルに比例する。
【００１２】
逆量子化装置２０４から抽出された圧縮領域情報は、逆量子化コードの非ＤＣ変換係数の値であってもよい。透かし信号生成装置３００は、非ＤＣ変換係数の絶対値または平方を加算することが可能である。より大きな合計値は、当該ブロックに対するより高いアクティビティレベルを示し、より高い強度の透かし信号は、解凍された復号化出力信号２５８における対応するブロックに挿入されることを示す。言い換えると、透かしの強度は、ブロックのアクティビティレベルに比例する。
【００１３】
加算器２０８の出力から抽出された圧縮領域情報は、データブロックの絶対輝度ＤＣ値であってもよい。データブロックの絶対輝度ＤＣ値は、ビットストリームにおいて符号化された輝度デルタＤＣ値を輝度ＤＣ予測子に付加することにより映像復号化プロセスから導出することが可能である。より高い輝度値は、より高い強度の透かし信号が挿入されることを示す。あるいは、２つの隣接するデータブロック間の輝度ＤＣ値の差は、透かし信号の強度を最適化するのに利用されてもよい。あるデータブロックの輝度ＤＣ値とそれに隣接するデータブロックの輝度ＤＣ値との差が大きい場合、より高い強度の透かし信号が当該データブロックに挿入されてもよい。これにより、透かし信号の強度は、データブロックの輝度値とそれに隣接するブロックとの間の差に比例する。
【００１４】
本発明の他の実施例によると、ローカルに知覚的な適応的透かし信号が、ブロックの各変換係数に、当該ブロックの変換係数及び当該係数の知覚的スラック（ｐｅｒｃｅｐｔｕａｌ  ｓｌａｃｋ）に基づき個々に適用することが可能である。あるブロックのある係数に対するＪＮＤ（Ｊｕｓｔ  Ｎｏｔｉｃｅａｂｌｅ  Ｄｉｆｆｅｒｅｎｃｅ）などの人間視覚系性質を利用して、個々の係数のスラック及びそれの対応する透かし信号の強度を計算することができる。アクティビティの尺度及び輝度値もまた利用して、個々の変換係数に適用される透かし信号の強度を調整することができる。映像デコーダの逆変換機能は、変換領域透かし信号を空間領域に変換するのに利用することが可能である。さらなる他の実施例では、デブロッキングフィルタリング（ｄｅｂｌｏｃｋｉｎｇ  ｆｉｌｔｅｒｉｎｇ）がＭＰＥＧ４−ＡＶＣビデオ規格などの圧縮処理中に適用される場合、あるブロック遷移に用いられるデブロッキングフィルタ強度を利用して、ローカルに適応的な透かし信号強度の選択に利用することができる。より強力なデブロッキングフィルタ強度を備えたブロックは、より高い強度の透かし信号を受け入れることが可能であろう。
【００１５】
透かし信号生成装置３００は、エントロピーデコーダ２０２、逆量子化装置２０４及び加算器２０８のそれぞれからの圧縮領域情報３５２、３５４及び３５６の１以上を利用して、所望の知覚的な適応的透かし処理の結果を取得するようにしてもよい。
【００１６】
透かし信号３６０は、透かし信号格納ユニット３１０に格納され、映像出力信号２５８への挿入のため、透かし加算器３１２に利用可能とされてもよい。結果として得られる透かし処理された映像信号２５９は、ディスプレイ（図示せず）、映像エンコーダ（図示せず）または映像レコーダ（図示せず）に送信されてもよい。好ましくは、透かし処理された映像信号２５９は、映像復号化システム２００から記録された任意の映像データが、映像信号のコンテンツの著作権侵害への抑止策として透かし処理されることを保証する映像復号化システム２００の出力として利用可能とされる単なる出力信号である。
【００１７】
本発明の上記実施例では、映像信号復号化処理中に、知覚的に適応的な透かし信号が同時に生成される。あるいは、様々な強度の複数の透かし信号が、予め生成され、透かし信号格納ユニット３１０に格納されるようにしてもよく、適切な強度の透かし信号が、上記各種復号化ユニットから抽出される圧縮領域情報に基づき選択されるようにしてもよい。例えば、エントロピーデコーダ２０２から抽出された圧縮領域情報を利用して、あるデータブロックに対する符号化（非零）変換係数の個数が複数の閾値と比較され、当該データブロックに対して複数の予め格納された透かし信号のどれが適切であるか決定することが可能である。より大きな閾値は、データブロックのより高いアクティビティレベルに対応し、これにより、より高い強度の透かし信号がより高いアクティビティのブロックに適用されるであろう。この閾値は、ブロック内、ブロック間及び双方向または双予測符号化ブロックに対して異なるものとすることができる。
【００１８】
本発明の他の実施例では、予め格納された透かし信号は、符号化変換係数に不均等に適用されるスプレッドスペクトル技術（ｓｐｒｅａｄ  ｓｐｅｃｔｒｕｍ  ｔｅｃｈｎｉｑｕｅ）を利用するようにしてもよい。例えば、複数の予め格納されている透かし信号の１つが、ブロックの絶対輝度ＤＣ値と複数の閾値とを比較することに基づき選択することが可能である。本発明の他の実施例では、アクティビティレベル（符号化変換係数の個数により表される）と輝度ＤＣ値は、予め格納された透かし信号から選択するためのジョイント閾値方法（ｊｏｉｎｔ  ｔｈｒｅｓｈｏｌｄｉｎｇ  ｍｅｔｈｏｄ）により合成されてもよい。
【００１９】
本発明の上記実施例では、透かし信号は、映像復号化処理中に同時に複数の予め格納されている透かし信号から新たに生成または選択され、その後、出力信号１５８が映像デコーダ２００によって、ディスプレイ（図示せず）またはビデオカセットレコーダ（図示せず）などの他の映像処理装置などの次の宛先に送信されるとき、映像デコーダ２００の出力信号２５８に挿入される。本発明の他の特徴によると、基準画像に対し同時に生成される透かし信号３６０は、透かし信号格納ユニット３１０に格納され、その後、映像出力信号が次の宛先に送信されるとき、映像出力信号２５８に挿入されるようにしてもよい。透かし信号は空間領域に格納されるため、透かし信号格納ユニット３１０は、追加的な容量を要するかもしれない。使用される映像圧縮規格が、例えば、Ｂ画像を利用して画像の異なる表示及び符号化順序を可能にする場合、各基準画像に対して、空間領域透かし信号を格納する必要がある。映像デコーダは、以降に符号化される画像の復号化処理における予測形成の利用のため、透かし処理されていない復号化基準画像の格納を必要とする。この目的のため、ＲＡＭ装置やハードディスク装置などの適切な記憶装置が設けられてもよい。ある復号化画像の表示が他の画像が復号化されるまで遅延されるとき、復号化処理から圧縮領域情報を利用して生成された透かし信号が、透かし信号格納ユニット３１０に格納される。表示前に、透かし信号は復号化画像に付加される。
【００２０】
本発明のさらなる他の特徴によると、空間領域透かし信号を格納するのでなく、基準画像の透かし信号の生成に利用される情報が格納されてもよい。このとき、映像出力信号２５８の送信が準備されると、透かし信号が生成され、映像出力信号２５８に挿入することが可能である。これにより、透かし信号の生成に利用される情報は空間領域透かし信号よりデータ量が小さいため、透かし信号のために必要な記憶容量を低減することができるであろう。
【００２１】
本発明のデコーダシステムは、分離したユニット（例えば、セットトップボックスなど）として独立型のシステムに含めることが可能である。あるいは、デコーダシステムは、テレビ装置、コンピュータ、ＤＶＤプレーヤーあるいは他の映像装置に一体化することも可能である。
【００２２】
本発明が上記実施例を参照して説明されたが、本発明の趣旨から逸脱することなく、様々な改良及び変更が可能である。従って、そのような改良及び変更のすべては、添付されたクレームの範囲内に属するものとみなされる。
【図面の簡単な説明】
【００２３】
【図１】図１は、従来技術による映像デコーダの概略図である。
【図２】図２は、本発明の一実施例による映像デコーダの概略図である。
【図１】
2005536950.tif 000003
【図２】
2005536950.tif 000004
【国際調査報告】
2005536950.tif 000005
2005536950.tif 000006
2005536950.tif 000007
2005536950.tif 000008